(57)【要約】【課題】使用者に適度なクリック感を付与することができる押圧スイッチを提供する。【解決手段】押圧スイッチ１は機器本体３に設けられて押圧操作される押圧部材１１と機器本体３内に設けられかつ押圧部材１１の両端部が重なる位置に設けられた一対のスイッチ１２と押圧部材１１を変位自在に当該押圧部材１１の中央を支持する支持部１３とを備えている。支持部１３は押圧部材１１の中央から突出したガイド突起２９と機器本体３に設けられかつガイド突起２９が遊挿されるガイド孔３０とを備えている。機器本体３に設けられかつ押圧部材１１の両端部をスイッチ１２との間に挟む一対の挟持部１４を更に備えている。【選択図】図３
2009158282.tif 000002
【特許請求の範囲】
【請求項１】
機器本体に設けられて押圧操作される押圧部材と、
前記機器本体内に設けられかつ前記押圧部材の両端部が重なる位置に設けられた一対のスイッチと、
前記押圧部材を変位自在に当該押圧部材の中央を支持する支持部と、を備えて、前記押圧部材のいずれかの端部が押圧されると前記一対のスイッチのいずれかの接点が閉じる押圧スイッチにおいて、
前記支持部は、前記押圧部材の中央と前記機器本体のうちのいずれか一方から突出したガイド突起と、前記押圧部材の中央と前記機器本体のうちのいずれか他方に設けられかつ前記ガイド突起が遊挿されるガイド凹部と、を備え、そして、
前記機器本体に設けられかつ前記押圧部材の両端部を前記スイッチとの間に挟む一対の挟持部を更に備えたことを特徴とする押圧スイッチ。
【請求項２】
前記押圧部材の両端部には、それぞれ、平板状の突出片が設けられ、
前記突出片と前記挟持部とのうち少なくともいずれか一方から他方に向かって凸でかつ断面円弧状の支点凸部が設けられていることを特徴とする請求項１記載の押圧スイッチ。
【請求項３】
前記押圧部材の両端部同士を結ぶ方向の前記ガイド凹部及び前記ガイド突起の幅は、それぞれ、前記押圧部材の両端部同士を結ぶ方向に沿って、前記押圧部材が前記機器本体に対して移動することを規制しかつ前記押圧部材の両端部それぞれを中心として当該押圧部材が回転することを許容する幅に形成されていることを特徴とする請求項２記載の押圧スイッチ。
【請求項４】
前記結ぶ方向に対して直交する方向の前記ガイド凹部及び前記ガイド突起の長さは、前記押圧部材の両端部の双方が押圧された際に、前記一対のスイッチの双方の接点が閉じることを規制する長さに形成されていることを特徴とする請求項２又は請求項３記載の押圧スイッチ。
【請求項５】
機器本体と、
前記機器本体に設けられて押圧操作される押圧部材を有した押圧スイッチと、を備えた電子機器において、
前記押圧スイッチとして、請求項１乃至請求項４のうちいずれか一項に記載の押圧スイッチを備えたことを特徴とする電子機器。
【発明の詳細な説明】
【技術分野】
【０００１】
本発明は、例えば、オーディオ装置などの電子機器に設けられて押圧操作される押圧スイッチ及び当該押圧スイッチを備えた電子機器に関する。
【背景技術】
【０００２】
例えば、移動体としての自動車のインストルメントパネル（以下インパネと呼ぶ）には、例えば、Compact Disc（以下ＣＤと呼ぶ）プレーヤ、ＭＤ（Mini disc）プレーヤやＡＭ／ＦＭチューナなどを備えたカーオーディオ装置が搭載される。この種のカーオーディオ装置は、扁平な箱状に形成されかつ前述したプレーヤやチューナを収容する機器本体と、この機器本体の前面に設けられた操作部とを備えている。
【０００３】
操作部は、前述したプレーヤやチューナを動作させるためや動作状況を変更するために用いられる。操作部は、押圧スイッチを複数備えている。押圧スイッチは、機器本体の前面に設けられて押圧操作される押圧部材と、前記押圧部材の長手方向の中央を中心として当該押圧部材を回転自在に支持する支持部と、前記押圧部材の長手方向の両端部が重ねられるとともに印刷配線板に実装されたスイッチと、を備えている。
【０００４】
スイッチは、印刷配線板上に形成された一対の接点と、前記接点と相対する導電部と、ゴムなどの弾性体で構成されかつ前記導電部が取り付けられているとともに前記導電部を前記一対の接点から間隔をあけた状態に保つゴム部材と、を備えている。ゴム部材は、円筒状に形成され印刷配線板から立設した筒部と、前記筒部の先端に取り付けられて前記導電部が設けられた円板状の板部とを一体に備えている。
【０００５】
前記スイッチは、ゴム部材の弾性復元力に抗して、円板状の板部が前記一対の接点に向かって押圧されて、導電部が一対の接点の双方に重なって、当該一対の接点同士を電気的に接続する。そして、スイッチは、円板状の板部が押圧されなくなると、前記筒部の弾性復元力により、導電部が一対の接点から離れてこれら一対の接点を互いに電気的に絶縁する。こうして、スイッチは、オンオフされる。
【０００６】
前述した押圧スイッチは、押圧部材の長手方向のいずれかの端部が押圧されると、支持部により押圧部材がその中央を中心として回転して、押圧された端部がスイッチの円板状の板部を押圧して、当該スイッチをオンする。また、押圧スイッチは、押圧部材の長手方向のいずれもの端部も押圧されないと、ゴム部材の弾性復元力により、いずれのスイッチの導電部も一対の接点から離れて、一対のスイッチの双方をオフにする。
【発明の開示】
【発明が解決しようとする課題】
【０００７】
前述した従来の押圧スイッチでは、押圧部材が、その中央を中心として回転して、その端部がスイッチの押圧することで、当該スイッチをオンオフする。スイッチは、前述した円筒状の筒部を有したゴム部材を備えているため、円筒状の筒部の中心軸方向に沿って当該筒部の全周がつぶれるように弾性変形するときには適度なクリック感を奏する。
【０００８】
しかしながら、押圧部材が前述したように回転してスイッチを端部で押圧するために、当該端部が押圧部材の長手方向の中央に向かって（斜め方向に）スイッチの円筒状の板部を押圧することとなる。このため、筒部の全周が均一につぶれることなく偏った弾性変形をした状態で、導電部が一対の接点に重なってスイッチをオンにしてしまう。このように、従来の押圧スイッチでは、スイッチの筒部が偏った弾性変形してオンされてしまうために、適度なクリック感を使用者に付与することがなく、操作上望ましくない。即ち、使用者が、スイッチをオンしたことを認識しにくい状態のまま、当該スイッチがオンされてしまう。
【０００９】
上記した問題点を鑑みてなされた本発明の目的の一例は、使用者に適度なクリック感を付与することができる押圧スイッチを提供することにある。
【課題を解決するための手段】
【００１０】
前記課題を解決し目的を達成するために、請求項１に記載の本発明の押圧スイッチは、機器本体に設けられて押圧操作される押圧部材と、前記機器本体内に設けられかつ前記押圧部材の両端部が重なる位置に設けられた一対のスイッチと、前記押圧部材を変位自在に当該押圧部材の中央を支持する支持部と、を備えて、前記押圧部材のいずれかの端部が押圧されると前記一対のスイッチのいずれかの接点が閉じる押圧スイッチにおいて、前記支持部は、前記押圧部材の中央と前記機器本体のうちのいずれか一方から突出したガイド突起と、前記押圧部材の中央と前記機器本体のうちのいずれか他方に設けられかつ前記ガイド突起が遊挿されるガイド凹部と、を備え、そして、前記機器本体に設けられかつ前記押圧部材の両端部を前記スイッチとの間に挟む一対の挟持部を更に備えたことを特徴としている。
【発明を実施するための最良の形態】
【００１１】
この発明の押圧スイッチは、押圧部材の中央を支持する支持部が、押圧部材と機器本体のうちいずれか一方に設けられたガイド突起と、押圧部材と機器本体のうちいずれか他方に設けられてガイド突起を遊挿するガイド凹部とを備え、更に、機器本体にスイッチとの間に押圧部材の端部を挟む挟持部を設けている。こうすることで、押圧部材のいずれかの端部を押圧すると、中央ではなく押圧されていない端部を中心として、押圧部材が回転する。このため、スイッチを押圧する際の押圧部材の回転半径が当該押圧部材の全長と略等しくなるまでに大きくすることができ、押圧部材の端部がスイッチを当該押圧部材の中央に向かって（斜め方向に）押圧することを抑制できる。したがって、スイッチがオンされる際に、当該スイッチが偏った弾性変形することを抑制して、スイッチをオンする際に適度なクリック感を付与することができる。
【００１２】
また、この発明の押圧スイッチは、押圧部材の端部と挟持部とのうちの少なくとも一方に、他方に向かって凸で断面円弧状の支点凸部を設けても良い。この場合、支点凸部によりスムーズに端部を中心として押圧部材を回転することができる。
【００１３】
さらに、この発明の押圧スイッチは、ガイド凹部とガイド突起との幅が、機器本体に対して押圧部材が両端部同士を結ぶ方向に沿って移動することを規制する幅としても良い。この場合、押圧部材の端部を押圧する際に、押圧部材の端部がスイッチを当該押圧部材の中央に向かって押圧することを確実に抑制できる。また、ガイド凹部とガイド突起との幅が、端部を中心として押圧部材を回転できる幅であるので、端部を中心として押圧部材を確実に回転させることができる。
【００１４】
また、この発明の押圧スイッチは、ガイド凹部とガイド突起との長さが、押圧部材の両端部の双方を押圧しても、一対のスイッチの双方をオンすることができない長さに形成されていても良い。この場合、一対のスイッチのうちいずれかのみを確実に操作することができる。
【００１５】
前述した押圧スイッチを備えた電子機器としても良い。この場合、スイッチをオンする際に適度なクリック感を付与することができる。
【実施例】
【００１６】
以下、本発明の一実施例にかかる押圧スイッチを、図１ないし図８を参照して説明する。押圧スイッチ１は、例えば、図１及び図２に示す電子機器としてのカーオーディオ２に用いられる。カーオーディオ２は、例えば、移動体としての自動車のインストルメントパネル（以下インパネと呼ぶ）に装着される。なお、以下、後述する前面５ａに対して直交する方向を奥行き方向Ｙといい、前面５ａと後述する機器本体３に出し入れされるＭＤの表面との双方と平行な方向を幅方向Ｘといい、これら奥行き方向Ｙと幅方向Ｘとの双方と直交する方向を厚み方向Ｚという。
【００１７】
カーオーディオ２は、記録媒体としてのＭＤ（Mini disc）を収容して、該ＭＤに記憶された情報を再生して音声として出力するＭＤプレーヤや、ＡＭ／ＦＭ放送電波を受信して、その受信した情報を音声として出力するＡＭ／ＦＭチューナなどを備えている。
【００１８】
カーオーディオ２は、図１に示すように、機器本体３と、この機器本体内に収容されたＭＤプレーヤやＡＭ／ＦＭチューナなどを備えている。機器本体３は、扁平な箱状に形成されたケース部４と、ケース部４の図１中手前側に取り付けられる前面パネル５とを備えている。
【００１９】
前面パネル５の表面（以下、前面５ａと記す）には、図１に示すように、前記ケース部４即ち機器本体３の内側にＭＤを挿入したり、機器本体３内に収容されたＭＤを排出するための挿入口６が開口している。挿入口６の平面形状は、矩形状に形成されている。挿入口６の長手方向は、カーオーディオ２の幅方向Ｘに沿っている。挿入口６は、カーオーディオ２の厚み方向Ｚに沿った幅がＭＤの厚みより大きくかつカーオーディオ２の幅方向Ｘに沿った幅がＭＤの幅より大きく形成されている。なお、前面パネル５の前面５ａは、機器本体３の表面をなしている。
【００２０】
前面パネル５の前面５ａには、前述した押圧スイッチ１と、ダイヤルスイッチ８とが複数取り付けられている。これらのスイッチ１，８は、ＭＤプレーヤやＡＭ／ＦＭチューナなどを操作するために用いられる。
【００２１】
押圧スイッチ１は、図２及び図３に示すように、カーオーディオ２の機器本体３の前面パネル５を貫通した平面形が矩形状の貫通孔１０内に収容されて設けられるとともに使用者などに押圧操作される押圧部材１１と、一対のスイッチ１２と、押圧部材１１を前面パネル５に対して変位自在に当該押圧部材１１の長手方向の中央を支持する支持部１３と、一対の挟持部１４とを備えている。
【００２２】
前記貫通孔１０は、その長手方向が機器本体３即ちカーオーディオ２の幅方向Ｘと平行に配置されている。また、貫通孔１０の内縁のうちの機器本体３の厚み方向Ｚに沿って互いに離間する内縁の機器本体３の幅方向Ｘの中央には、図２に示すように、支持片１５が立設している。即ち、貫通孔１０一つあたり、支持片１５は、一対設けられている。支持片１５は、平板状に形成され、かつ貫通孔１０の内縁の前述した中央から機器本体３の内側に向かって立設している。
【００２３】
押圧部材１１は、表面１６ａが前面パネル５の前面５ａ即ち機器本体３の表面と平行な平行壁１６と、この平行壁１６の外縁から立設した複数の周壁１７とを備えている。平行壁１６は、平面形状が貫通孔１０の平面形状と略等しい矩形状に形成されている。平行壁１６の長手方向は、機器本体３の幅方向Ｘに沿っている。平行壁１６の表面１６ａには、押圧スイッチ１の機能などを示す印が形成されている。周壁１７は、平行壁１６の外縁から機器本体３の内側に向かって立設している。
【００２４】
また、押圧部材１１の長手方向の両端部には、それぞれ、突出片１８と、支点凸部１９とが設けられている。なお、この押圧部材１１の長手方向は、特許請求の範囲に記載された当該押圧部材１１の両端部同士を結ぶ方向をなしている。突出片１８は、周壁１７のうち押圧部材１１の長手方向即ち機器本体３の幅方向Ｘに沿って互いに相対する周壁１７の平行壁１６から離れた側の縁から当該押圧部材１１の長手方向即ち機器本体３の幅方向Ｘに沿って、押圧部材１１の外側に突出している。突出片１８は、勿論、平板状に形成されている。
【００２５】
支点凸部１９は、突出片１８の前面５ａ寄りの表面から凸に形成されている。即ち支点凸部１９は、突出片１８から挟持部１４に向かって凸に形成されている。また、支点凸部１９は、押圧部材１１の幅方向即ち機器本体３の厚み方向Ｚに沿って直線状に延在している。支点凸部１９は、その断面形状が押圧部材１１の幅方向の全長に亘って同形状の円弧状に形成されている。
【００２６】
一対のスイッチ１２は、貫通孔１０内に収容された押圧部材１１の突出片１８即ち当該押圧部材１１の両端部が重ねられている。即ち、一対のスイッチ１２は、押圧部材１１の突出片１８即ち当該押圧部材１１の両端部が重なる位置に設けられている。一対のスイッチ１２は、それぞれ、機器本体３内に収容された印刷配線板２０の一対の接点２１ａ，２１ｂと、当該印刷配線板２０上に重ねられたゴム板２２の接点部２３とを備えている。
【００２７】
印刷配線板２０は、前面パネル５の前面５ａと間隔をあけて平行となる位置に設けられている。印刷配線板２０は、図３に示すように、絶縁性の基板２４と、この基板２４の表面に形成された導電性の導体パターン２１とを備えている。前述した接点２１ａ，２１ｂは、導体パターン２１の一部である。これら一対の接点２１ａ，２１ｂは、互いに間隔をあけて即ち互いに電気的に絶縁されて基板２４上に設けられている。
【００２８】
ゴム板２２は、絶縁性と弾性との双方を有する合成樹脂で構成されている。ゴム板２２は、図３に示すように、印刷配線板２０の基板２４の導体パターン２１が設けられた側の表面に重ねられている。ゴム板２２は、平板部２５と、前述した接点部２３とを一体に備えている。平板部２５は、平板状に形成され、印刷配線板２０の基板２４の表面に重ねられて、該印刷配線板２０と密に接触する。
【００２９】
接点部２３は、平板部２５が印刷配線板２０に重ねられた際に、接点２１ａ，２１ｂと重なる位置に配置されている。接点部２３は、図３に示すように、平板部２５に設けられて接点２１ａ，２１ｂを露出させる穴２６と、穴２６の周りから立設しかつ平板部２５から離れるのにしたがって徐々に小径に形成された筒部２７と、前記筒部２７の平板部２５から離れた側の縁を塞いで平板部２５と平行に設けられた導電部２８とを備えている。
【００３０】
即ち、接点部２３は、平板部２５よりも押圧部材１１即ち前面５ａに向かって突出しているとともに、接点２１ａ，２１ｂとの間に空間を設けている。導電部２８は、主に筒部２７が弾性変形していない中立状態において、一対の接点２１ａ，２１ｂと間隔をあけている。また、導電部２８は、一対の接点２１ａ，２１ｂに相対する表面に導電性の導体膜２８ａが設けられている。
【００３１】
接点部２３即ちスイッチ１２は、押圧部材１１の突出片１８即ち端部によって押圧されたことで、導電部２８に設けられた導体膜２８ａが接点２１ａ，２１ｂの双方に密に重なって、これらの接点２１ａ，２１ｂ同士を導通させる。この接点２１ａ，２１ｂ同士が導通することを、本発明では、接点２１ａ，２１ｂが閉じるという。
【００３２】
支持部１３は、一対のガイド突起２９と、一対のガイド凹部としてのガイド孔３０とを備えている。ガイド突起２９は、それぞれ、押圧部材１１の幅方向に沿って互いに間隔をあけて相対する周壁１７の当該押圧部材１１の長手方向の中央からこの押圧部材１１の外側に突出している。ガイド突起２９は、円柱状に形成されている。
【００３３】
ガイド孔３０は、それぞれ、支持片１５即ち機器本体３に設けられている。ガイド孔３０は、勿論、支持片１５を貫通している。ガイド孔３０内には、ガイド突起２９が侵入する。ガイド孔３０は、その長手方向が奥行き方向Ｙ即ち前面５ａに対して直交する方向と平行な小判状（長孔形状）に形成されている。図６に示すように、ガイド孔３０の押圧部材１１の長手方向の幅Ｈ１が、ガイド突起２９の押圧部材１１の長手方向の幅Ｈ２よりも若干大きく形成されている。本実施例では、ガイド孔３０の幅Ｈ１が３．１ｍｍであり、ガイド突起２９の幅Ｈ２が３．０ｍｍに形成されている。
【００３４】
また、図６に示すように、ガイド孔３０の押圧部材１１の長手方向に対して直交する奥行き方向Ｙと平行な方向の長さＬ１は、ガイド突起２９の押圧部材１１の長手方向に対して直交する奥行き方向Ｙと平行な方向の長さＬ２よりも長く形成されている。
【００３５】
前述したように、ガイド孔３０の幅Ｈ１及び長さＬ１が、それぞれ、ガイド突起２９の幅Ｈ２及び長さＬ２よりも大きく（又は長く）形成されているので、ガイド孔３０の内周面とガイド突起２９の外周面とが間隔をあけた状態で、ガイド孔３０内にガイド突起２９が挿入される。即ち、ガイド突起２９は、ガイド孔３０内に遊挿される。ガイド孔３０内にガイド突起２９が遊挿されるので、支持片１５即ち機器本体３に対して押圧部材１１が変位自在となる。
【００３６】
前述した構成の支持部１３は、ガイド孔３０内にガイド突起２９が遊挿されることで、押圧部材１１を機器本体３に変位自在に支持することとなる。
【００３７】
また、前述したガイド孔３０及びガイド突起２９の幅Ｈ１，Ｈ２及び長さＬ１，Ｌ２は、押圧部材１１のいずれかの突出片１８即ちいずれかの端部を中心として当該押圧部材１１が回転することを許容する幅及び長さに形成されている。さらに、前述したガイド孔３０及びガイド突起２９の幅Ｈ１，Ｈ２は、前述した押圧部材１１の突出片１８即ち端部を中心とした回転を許容しながらも、押圧部材１１が機器本体３に対して前述した幅方向Ｘ即ち押圧部材１１の長手方向に沿って実質的に変位することを規制する幅に形成されている（殆ど、幅方向Ｘに押圧部材１１が変位できない幅又は押圧部材１１の幅方向Ｘの変位が非常に小さい幅）とされている。
【００３８】
さらに、前述したガイド孔３０及びガイド突起２９の長さＬ１，Ｌ２は、押圧部材１１の双方の突出片１８即ち両端部を同時に押圧しても、当該両端部が一対のスイッチ１２の双方の接点２１ａ，２１ｂを閉じることを規制する長さに形成されている。即ち、前述した長さＬ１，Ｌ２は、一対のスイッチ１２の接点２１ａ，２１ｂが同時に閉じることがない長さとされている。
【００３９】
挟持部１４は、それぞれ、図２に示すように、貫通孔１０の内縁のうちの機器本体３の幅方向Ｘに沿って互いに離間する内縁から立設している。即ち、貫通孔１０一つあたり、挟持部１４は、一対設けられている。挟持部１４は、平板状に形成され、かつ貫通孔１０の内縁の前述した位置から機器本体３の内側に向かって立設している。挟持部１４は、スイッチ１２との間に突出片１８に設けられた支点凸部１９即ち押圧部材１１の両端部を挟む。
【００４０】
前述した構成の押圧スイッチ１は、ガイド孔３０内にガイド突起２９が遊挿されて、平行壁１６が前面５ａと平行に貫通孔１０外から露出した状態で、押圧部材１１が機器本体３の前面パネル５に取り付けられる。このとき、突出片１８即ち押圧部材１１の両端部がスイッチ１２に重ねられている。スイッチ１２の接点部２３の主に筒部２７が弾性変形していない中立状態に位置付けられているので、図３に示すように、一対のスイッチ１２双方の導電部２８が接点２１ａ，２１ｂから間隔をあけ、図６に示すように、ガイド孔３０の前面５ａ寄りにガイド突起２９が位置付けられている。
【００４１】
そして、押圧スイッチ１は、押圧部材１１の長手方向の一方の端部が押圧されると、ガイド孔３０内にガイド突起２９が遊挿されているので、押圧部材１１の他方の端部が重ねられたスイッチ１２の筒部２７の弾性復元力によって、他方の端部の支点凸部１９を中心として、一方の端部が機器本体３の奥に向かうように、当該押圧部材１１が回転する。そして、図４に示すように、押圧部材１１の一方の端部に設けられた突出片１８がスイッチ１２の導電部２８を押圧して、当該スイッチ１２の接点２１ａ，２１ｂが閉じる。このとき、図８に示すように、ガイド孔３０の前面５ａから離れた側でかつ一方の端部寄りにガイド突起２９が位置付けられている。
【００４２】
また、前述した構成の押圧スイッチ１は、押圧部材１１の長手方向の両端部が同時に押圧されると、当該両端部が一対のスイッチ１２の筒部２７を印刷配線板２０に向かって押圧する。すると、勿論、押圧部材１１の両端部に設けられた突出片１８がスイッチ１２の導電部２８を押圧して、当該導電部２８が接点２１ａ，２１ｂに近づく。このとき、前述した長さＬ１，Ｌ２が前述した寸法に形成されているので、図５に示すように、押圧部材１１の両端部に設けられた突出片１８がスイッチ１２の導電部２８を押圧しても、これら一対のスイッチ１２の双方の接点２１ａ，２１ｂは同時に閉じない。このとき、勿論、図７に示すように、ガイド孔３０の前面５ａから離れた側にガイド突起２９が位置付けられている。
【００４３】
こうして、前述した構成の押圧スイッチ１は、一対のスイッチ１２のうちのいずれか一方の接点２１ａ，２１ｂを閉じることで、前述したＭＤプレーヤやＡＭ／ＦＭチューナなどを操作するための各種の信号を接点から出力する。
【００４４】
本実施例によれば、押圧部材１１の中央を支持する支持部１３が、押圧部材１１の中央に設けられたガイド突起２９と、当該ガイド突起２９を遊挿するガイド凹部としてのガイド孔３０を備え、更に、機器本体３にスイッチ１２との間に押圧部材１１の端部を挟む挟持部１４を設けている。このため、押圧部材１１のいずれかの端部を押圧すると、中央ではなく押圧されていない端部を中心として、押圧部材１１が回転する。
【００４５】
そのために、スイッチ１２を押圧する際の押圧部材１１の回転半径が当該押圧部材１１の全長と略等しくなるまでに大きくすることができ、押圧部材１１の端部がスイッチ１２を当該押圧部材１１の中央に向かって（斜め方向に）押圧することを抑制できる。したがって、スイッチ１２がオンされる際に、当該スイッチ１２の筒部２７が偏った弾性変形することを抑制して、スイッチ１２をオンする際に適度なクリック感を付与することができる。即ち、スイッチ１２をオンする際に、使用者がオンしたことを認識できる程度の適度な弾性復元力を生じて、使用者がスイッチ１２をオンしたことを確実に認識することができる。
【００４６】
また、押圧スイッチ１は、押圧部材１１の端部から挟持部１４に向かって凸で断面円弧状の支点凸部１９を設けている。このため、支点凸部１９によりスムーズに端部を中心として押圧部材１１を回転することができる。
【００４７】
さらに、押圧スイッチ１は、ガイド孔３０とガイド突起２９との幅Ｈ１，Ｈ２が、機器本体３に対して押圧部材１１が両端部同士を結ぶ方向に沿って移動することを規制する幅としている。このため、押圧部材１１の端部を押圧する際に、押圧部材１１の端部がスイッチ１２を当該押圧部材１１の中央に向かって押圧することを確実に抑制できる。
【００４８】
また、ガイド孔３０とガイド突起２９との幅Ｈ１，Ｈ２が、端部を中心として押圧部材１１が回転できる幅であるので、端部を中心として押圧部材１１を確実に回転させることができる。
【００４９】
また、押圧スイッチ１は、ガイド孔３０とガイド突起２９との長さＬ１，Ｌ２が、押圧部材１１の両端部の双方を押圧しても、一対のスイッチ１２の双方をオンすることができない長さに形成されている。このため、一対のスイッチ１２のうちいずれかのみを確実に操作することができる。
【００５０】
カーオーディオ２は、前述した押圧スイッチ１を備えている。このため、スイッチ１２をオンする際に適度なクリック感を付与することができる。
【００５１】
なお、前述した実施例では、ガイド突起２９を押圧部材１１の中央に設け、ガイド凹部としてのガイド孔３０を機器本体３の支持片１５に設けているが、本発明では、ガイド凹部としてのガイド孔３０を押圧部材１１の中央に設け、ガイド突起２９を機器本体３の支持片１５に設けても良い。さらに、本発明では、ガイド凹部を孔に形成せずに凹みに形成しても良い。
【００５２】
さらに、前述した実施例では、支点凸部１９を突出片１８に設けたが、本発明では、挟持部１４の端面に設けても良い。また、支点凸部１９を突出片１８と挟持部１４との双方に設けても良い。
【００５３】
なお、前述した実施例は本発明の代表的な形態を示したに過ぎず、本発明は、実施例に限定されるものではない。即ち、本発明の骨子を逸脱しない範囲で種々変形して実施することができる。
【００５４】
前述した実施例によれば、以下の押圧スイッチ１が得られる。
【００５５】
（付記）  機器本体３に設けられて押圧操作される押圧部材１１と、
前記機器本体３内に設けられかつ前記押圧部材１１の両端部が重なる位置に設けられた一対のスイッチ１２と、
前記押圧部材１１を変位自在に当該押圧部材１１の中央を支持する支持部１３と、を備えて、前記押圧部材１１のいずれかの端部が押圧されると前記一対のスイッチ１２のいずれかの接点が閉じる押圧スイッチ１において、
前記支持部１３は、前記押圧部材１１の中央と前記機器本体３のうちのいずれか一方から突出したガイド突起２９と、前記押圧部材１１の中央と前記機器本体３のうちのいずれか他方に設けられかつ前記ガイド突起２９が遊挿されるガイド孔３０と、を備え、そして、
前記機器本体３に設けられかつ前記押圧部材１１の両端部を前記スイッチ１２との間に挟む一対の挟持部１４を更に備えたことを特徴とする押圧スイッチ１。
【００５６】
付記に記載の押圧スイッチ１によれば、押圧部材１１の中央を支持する支持部１３が、押圧部材１１の中央に設けられたガイド突起２９と、当該ガイド突起２９を遊挿するガイド凹部としてのガイド孔３０を備え、更に、機器本体３にスイッチ１２との間に押圧部材１１の端部を挟む挟持部１４を設けている。このため、押圧部材１１のいずれかの端部を押圧すると、中央ではなく押圧されていない端部を中心として、押圧部材１１が回転する。
【００５７】
そのために、スイッチ１２を押圧する際の押圧部材１１の回転半径が当該押圧部材１１の全長と略等しくなるまでに大きくすることができ、押圧部材１１の端部がスイッチ１２を当該押圧部材１１の中央に向かって（斜め方向に）押圧することを抑制できる。したがって、スイッチ１２がオンされる際に、当該スイッチ１２が偏った弾性変形することを抑制して、スイッチ１２をオンする際に適度なクリック感を付与することができる。即ち、スイッチ１２をオンする際に、使用者がオンしたことを認識できる程度の適度な弾性復元力を生じて、使用者がスイッチ１２をオンしたことを確実に認識することができる。
【図面の簡単な説明】
【００５８】
【図１】本発明の一実施例にかかる押圧スイッチを備えたカーオーディオの外観を示す斜視図である。
【図２】図１に示された押圧スイッチの斜視図である。
【図３】図１に示された押圧スイッチの断面図である。
【図４】図３に示された押圧スイッチの押圧部材の一方の端部が押圧された状態を示す断面図である。
【図５】図３に示された押圧スイッチの押圧部材の両端部が押圧された状態を示す断面図である。
【図６】図３に示された押圧スイッチの支持部を示す説明図である。
【図７】図５に示された押圧スイッチの支持部を示す説明図である。
【図８】図４に示された押圧スイッチの支持部を示す説明図である。
【符号の説明】
【００５９】
１  押圧スイッチ
２  カーオーディオ（電子機器）
３  機器本体
１１  押圧部材
１２  スイッチ
１３  支持部
１４  挟持部
１８  突出片
１９  支点凸部
２９  ガイド突起
３０  ガイド孔（ガイド凹部）
Ｈ１  ガイド孔の幅
Ｈ２  ガイド突起の幅
Ｌ１  ガイド孔の長さ
Ｌ２  ガイド突起の長さ
Ｙ  幅方向（押圧部材の両端部同士を結ぶ方向）
【図１】
2009158282.tif 000003
【図２】
2009158282.tif 000004
【図３】
2009158282.tif 000005
【図４】
2009158282.tif 000006
【図５】
2009158282.tif 000007
【図６】
2009158282.tif 000008
【図７】
2009158282.tif 000009
【図８】
2009158282.tif 000010